(57)【要約】家具は少なくとも３個の部材からなる。その内の少なくとも１つはスロット状の空欠部を有し、組立状態で他の部材の対応する形状の部分がこの空欠部を貫いて延びている。無負荷状態で上記部分は空欠部の中で移動自在であり、負荷又は傾倒されると上記部分は当該の相対位置を保持する。【選択図】図２
2004531679.tif 000002
【特許請求の範囲】
【請求項１】
互いに嵌着し得る複数の部材からなり、これらの部材を補助結合手段なしで、所望の形状を画定する安定した、荷重に耐える相対相互位置に配置することができる家具、特にテーブル又は椅子において、
家具が少なくとも３個の部材からなり、その内の少なくとも１つがスロット状の空欠部を有し、組立状態で他の部材の対応する形状の部分がこの空欠部を貫いて延びており、無負荷状態で上記部分がこの空欠部の中で移動自在であり、負荷又は傾斜されると上記部分が当該の相対位置を保持することを特徴とする家具。
【請求項２】
２つの部材に、第３の部材の横断面に相当するスロット状の空欠部が、端縁の近傍にそれぞれ形成され、第３の部材をこの空欠部に貫挿することができることを特徴とする請求項１に記載の家具。
【請求項３】
空欠部を備えた部材が端縁に沿って拡幅部を有することを特徴とする請求項２に記載の家具。
【請求項４】
１つの部材が他の２つの部材より長く、この長い部材が２本の平行な、かつ拡大部を備えた縦スロットを有し、他の２つの部材が、縦スロットに差し込まれてその中で移動し得るノブを有することを特徴とする請求項１に記載の家具。
【発明の詳細な説明】
【技術分野】
【０００１】
本発明は、互いに嵌着し得る複数の部材からなり、これらの部材を補助結合手段なしで、所望の形状を画定する安定した、荷重に耐える相対相互位置に配置することができる家具特に椅子又はテーブルに関する。
【背景技術】
【０００２】
互いに嵌着し得る部材からなり、接着剤、ねじ、くさび等の補助結合手段なしでその機能を遂行する家具は周知である。例えば互いに十字に嵌着され、組立状態で椅子の脚部、座席及び背もたれをなす２個の細長い部材からなる椅子がドイツ国実用新案第７６１０４１２号明細書で知られている。２つの部材のうち組立状態で背もたれをなす一方の部材は１本の横スロットを有し、ここに座席部を嵌着することができる。くさび形の座席部によって２つの部材は組立状態で所定の相互位置をとる。ただ１つの特定の座席高さと、背もたれ及び座席の間のただ１つの特定の角しか可能でない。
【０００３】
同様な構造が例えば米国特許第３，４２７，０７４号、米国特許第３，７５２，５３２号、国際特許公開ＷＯ９８／４０６３３号で周知である。これらのすべての公知の組立式家具に共通するのは、個々の部材が組立状態で相互の特定の相対位置をとり、利用者はこの相対位置を任意に変更することができないことである。
【特許文献１】
ドイツ国実用新案第７６１０４１２号
【特許文献２】
米国特許第３，４２７，０７４号
【特許文献３】
米国特許第３，７５２，５３２号
【特許文献４】
国際特許公開ＷＯ９８／４０６３３号
【発明の開示】
【発明が解決しようとする課題】
【０００４】
発明の根底にあるのは、組立状態で部材相互の相対位置をある範囲内で自由に変更できることによって、個々の部材で組み立てられる家具に大きな融通性を与えるという課題である。
【課題を解決するための手段】
【０００５】
この課題は本発明に基づき次のようにして達成される。即ち家具が３個以上の部材からなり、その内の少なくとも１つがスロット状の空欠部を有し、組立状態で他の部材の対応する形状の部分がこの空欠部を貫いて延びており、無負荷状態で上記部分が空欠部の中で移動自在であり、負荷又は傾斜されると上記部分が当該の相対位置を保持するのである。
【０００６】
この明細書の目的に関して「スロット状の空欠部」の概念は、片側が開放した切欠部を意味する。
【発明を実施するための最良の形態】
【０００７】
次に添付の図面に基づき発明の好ましい実施例を説明する。
【０００８】
図１に示す椅子は３個の部材、即ち前脚をも形成する背もたれ部１、座席部２及び後脚を形成する脚部３で組み立てられている。３つのすべての部材は成形接着合板又は他の適当な材料からなる僅かに湾曲したおおむね長方形の板の形状を有する。背もたれ部１は幅のおよそ２倍ないし３倍の長さがあり、座席部２と脚部３はおおむね正方形であり、とりわけ同じ大きさである。
【０００９】
座席部２と脚部３は一方の側に対称の拡幅部４を備えている。隣接する側縁と平行に延びるスロット状の空欠部５がこの広がった区域に配置されている。図１が示すように背もたれ部を空欠部に差し込むことができるように、空欠部５は背もたれ部１の肉厚に相当する幅と背もたれ部１の幅に相当する長さを有する。
【００１０】
無負荷状態で座席部と脚部は背もたれ部に沿って任意に移動することができる。しかし組み立てた椅子が起立すれば、部材の自重が交差部に傾斜を生じさせ、締付け効果を働かせるから、部材相互の相対位置が固定される。利用者が座ることにより大きな荷重がかかると、締付け効果、それとともに相対位置の固定が強められる。
【００１１】
部材相互の相対位置を変えることにより、椅子の形状を変えることができる。例えば脚部３を背もたれ部に沿ってより高くずらせば、背もたれの傾きがゆるやかになり、椅子は一種の寝椅子になる。座席部２を背もたれ部１に沿って移動することによって、座席の高さを任意に変えることができる。
【００１２】
もちろん図１に示す椅子は多くの点で変更することができる。例えばすべての又は個々の部材を湾曲せずに、平坦に形成することが可能である。別の変型は、拡幅部４を廃止することができるように、背もたれ部を他の２つの部材より細幅にするものである。
【００１３】
組立状態で図１に示す椅子を構成する３個の部材は、簡単にテーブルとして組み立てることもできる。図４に概略図で示すように、この目的のために座席部を背もたれから上へ取外して、脚部と同じ側へ再び差し込むだけでよい。背もたれ部はテーブル板を、他の２つの部材はテーブルの脚部をなす。
【００１４】
図２に示す椅子もまた背もたれ部６、座席部７及び脚部８からなる。しかしこの実施形態では座席部と脚部に横スロットがなく、背もたれ部が２本の平行な縦スロット９を備えている。縦スロットは一方の端部に円形拡大部１０を有する。
【００１５】
組立のために設けられた座席部７及び脚部８の端縁に、スロット９の間隔に応じてきのこ形又は玉形のノブ１１が取り付けられている。その太さは拡大部１０に相当する。組立のために脚部８及び座席部７のノブを拡大部１０に貫挿し、次にスロットに沿って下へ、例えば図２に示す位置へ押しやる。この実施形態でも無負荷状態で座席部及び脚部を任意に移動することができる。
【００１６】
図２に示す実施形態はさらに幾つかの任意選択の特徴を有する。ノブがある端縁は玉縁状の肥厚部１２で補強されている。それによってノブをよく固定することができる。座席部と脚部は、背もたれのように平行な縦スロット１３とその円形拡大部１４を備え、背もたれは短辺側にノブを備えている。こうして組立の多様な可能性が生まれる。
【００１７】
ノブと端縁の間隔を変えることができるように、ノブをボルトで当該の端縁に取り付けることが好ましい。それによって部材の間の締付け角が変えられ、希望に応じて部材を互いに固定することができる。
【００１８】
図１の実施形態と同じく、この別の実施形態もテーブルとして組み立てるのに適している。
【００１９】
図３に示す実施形態では図１に示したモデルのような閉じたスロットがなく、曲り片１５がある。曲り片１５は片側が開放した切欠部１６の周囲に延びており、この切欠部に差し込まれる部材の側縁をクリップのように取り囲む。曲り片１５は部材の材料で一体をなし、又は別の材料による止め具として取り付けることができる。
【００２０】
ここで組立式の椅子又はテーブルについて示した原理は、図５に示すように他の家具、例えば物品棚等にも使用することができる。座席部の代わりに、上下に配列された複数の棚板１７が設けられている。
【図面の簡単な説明】
【００２１】
【図１】組立式椅子の斜視図。
【図２】組立式椅子の代替実施形態の図。
【図３】組立式椅子の別の代替実施形態の図。
【図４】部材で組み立てられたテーブルの概略図。
【図５】組み立てられた物品棚の概略図。
【図１】
2004531679.tif 000003
【図２】
2004531679.tif 000004
【図３】
2004531679.tif 000005
【図４】
2004531679.tif 000006
【図５】
2004531679.tif 000007
【国際公開パンフレット】
2004531679.tif 000008
2004531679.tif 000009
2004531679.tif 000010
2004531679.tif 000011
2004531679.tif 000012
2004531679.tif 000013
2004531679.tif 000014
2004531679.tif 000015
2004531679.tif 000016
2004531679.tif 000017
2004531679.tif 000018
2004531679.tif 000019
【国際調査報告】
2004531679.tif 000020
2004531679.tif 000021
2004531679.tif 000022
2004531679.tif 000023